(57)【特許請求の範囲】
【請求項１】
帽子体に着脱可能なバンド部材と、
前記帽子体の上部に、前記帽子体の内側と外側とを貫通して形成された排気口と、を備え、
前記バンド部材は、前記帽子体の前方に対応する位置に形成された前方凸部及び前方凹部と、前記帽子体の側方に対応する位置に形成された側方凸部及び側方凹部とを有し、第一状態又は前記第一状態から折り返し反転された第二状態で、前記帽子体の下部内周縁に取り付けられ、
前記バンド部材が、前記第一状態で取り付けられた場合には、前記第一状態における前記前方凸部の外側部分及び前記側方凸部の外側部分が、前記帽子体に取り付けられ、前記第一状態における前記前方凹部の内側部分と着用者の額が接触し、かつ前記第一状態における前記前方凹部の外側部分と前記帽子体との間に前記第一状態における前方吸気口が形成され、
前記バンド部材が、前記第二状態で取り付けられた場合には、前記第二状態における前記前方凸部の外側部分及び前記側方凸部の外側部分が、前記帽子体に取り付けられ、前記第二状態における前記前方凸部の内側部分と前記着用者の額との間に前記第二状態における前方吸気口が形成され、かつ前記第二状態における前記前方凹部の内側部分と前記着用者の頭部が面接触する、
ことを特徴とする帽子。
【請求項２】
前記バンド部材は、プラスチック製であり、
前記第一状態において、前記第一状態における前記前方吸気口が一つ形成され、
前記第二状態において、前記第二状態における前記前方吸気口が二つ形成され、
前記側方凹部の内側部分と前記着用者の頭部とが面接触する、
ことを特徴とする請求項１に記載の帽子。
【請求項３】
少なくとも前記帽子体の外布の内側に、アルミホイル等輻射熱に対して高反射率の素材と、不織布や樹脂シート等輻射熱に対して低反射率の素材とで構成された遮熱シートが設けられ、
前記アルミホイル等輻射熱に対して高反射率の素材が、前記不織布や樹脂シート等輻射熱に対して低反射率の素材よりも前記外布側に取り付けられている、
ことを特徴とする請求項１又は請求項２に記載の帽子。
【請求項４】
前記帽子体の外側に設けられ、前記排気口から太陽光が入射することを防止する庇片と、を備える、
ことを特徴とする請求項１から請求項３の何れか一項に記載の帽子。
【発明の詳細な説明】
【技術分野】
【０００１】
本発明は、着用した際に、内部の温度上昇を防止できる帽子に関するものである。
【背景技術】
【０００２】
一般的に、帽子は、内側の額に当たる部分にはベルト状のスベリが取り付けられている。このスベリは、ほとんど全周に渡って施されており、着用した際に額に密着し、汗止めとなる。このスベリが施されていることで、頭部からの汗が顔に垂れることが防止される。しかし、近年、暑さが増し、帽子の内部の温度が上昇し、しかも帽子の内部は密封状態で蒸れ易く、大量の汗をかきやすくなった。そのため、屋外にいると帽子を何度も脱いで、汗を拭かなければいけないことが多かった。
【０００３】
従来から、帽子の内部の温度上昇を抑止する帽子が開示されている（例えば、特許文献１及び特許文献２）。
特許文献１に記載の帽子は、つばとクラウンから構成され、帽子の前部とその対向位置の各々に通気口が設けられている。そして、この帽子は、帽子の前部の対向位置に設けた通気口が、カットして分割したクラウンの各々のカット部を上下方向にずらして重ねて配置され、カット部を相互に接続せずに形成され、通気口の大きさを自由に調整することができる。特許文献２に記載の帽子は、帽子本体の頭頂部に開口部を設け、この開口部を覆うメッシュ状のカバーと布カバーとを有し、開口部とこれら２つのカバーとにファスナーを取り付け、帽子本体と２つのカバーが着脱できるように構成されている。
【先行技術文献】
【特許文献】
【０００４】
【特許文献１】特開２０１８−９６００５号公報
【特許文献２】特開２００５−１９４６４４号公報
【発明の概要】
【発明が解決しようとする課題】
【０００５】
しかし、特許文献１に記載の帽子は、人体が静止した状況であったり、全く風が無い状態であったりした場合、頂部に熱溜まりができ、着用者は徐々に暑さを感じる。
さらに、特許文献１及び特許文献２に開示されている帽子は、一番汗のかきやすい着用者の額とスベリは、密着されるため、汗をかきやすく、思ったほどの涼しさは感じられない。
【０００６】
そこで、本発明は、帽子体の内部の温度上昇を防ぐとともに、着用者に暑さを感じさせない帽子を提供することを目的とする。
【課題を解決するための手段】
【０００７】
本発明に係る帽子は、帽子体の下部内周縁に取付けられたバンド部材と、帽子体の上部に、帽子体の内側と外側とを貫通して形成された排気口とを備え、バンド部材は、帽子体の前方に対応する位置に形成された前方凸部及び前方凹部と、帽子体の側方に対応する位置に形成された側方凸部及び側方凹部とを有し、前方凸部の外側部分及び側方凸部の外側部分が帽子体に取り付けられることで、前方凹部の外側部分と帽子体との間、又は前方凸部の内側部分と着用者の額との間に、吸気口が形成され、前方凹部の内側部分と着用者の頭部が面接触することを特徴とする。
【０００８】
本発明に係る帽子は、側方凹部と着用者の頭部とが面接触することを特徴とする。
【０００９】
本発明に係る帽子は、少なくとも帽子体の外布の内側に、アルミホイル等輻射熱に対して高反射率の素材と、不織布や樹脂シート等輻射熱に対して低反射率の素材とで構成された遮熱シートが設けられ、アルミホイル等輻射熱に対して高反射率の素材が、不織布や樹脂シート等輻射熱に対して低反射率の素材よりも外布側に取り付けられていることを特徴とする。
【００１０】
本発明に係る帽子は、帽子体の外側に設けられ、排出口から太陽光が入射することを防止する庇片とを備えることを特徴とする。
【発明の効果】
【００１１】
本発明に係る帽子では、前方及び側方に形成した吸気口から空気が帽子体の内部に流入し、排気口から排出する。そのため、着用者は、涼しさを感じ、僅かな風があると、頭部全体に空気の流れを感じより涼しさを感じる。
したがって、帽子体の内部に空気の流れを生じさせることで、帽子体の内部の温度上昇を防止され、着用者は、暑さを感じなくなり、快適性が向上する。
【００１２】
本発明に係る帽子は、バンド部材の前方凹部の内側部分と額とを面接触させる態様で使用することができる。この態様で使用した場合、帽子体の内部の前方や側方に吸気口を形成させつつ、帽子体が着用者の頭部から抜け落ちづらくなる。そのため、激しい運動をする場合でも、使用することができる。
さらに、本発明に係る帽子は、バンド部材の前方凸部の外側部分を帽子体と面接触させ、前方凸部の内側部分と着用者の額との間に吸気口を形成することができる。そうすると、着用者にバンド部材の密着感を生じさせず、空気が着用者の額と接しながら、帽子体の内部に流入するため、快適性が向上する。
【図面の簡単な説明】
【００１３】
【図１】本発明の第一実施形態に係る帽子の側面図である。
【図２】本発明の第一実施形態に係る帽子の斜視図である。
【図３】本発明の第一実施形態に係る帽子に取り付けられるバンド部材の平面図である。（ａ）はバンド部材の第一状態を示す図であり、（ｂ）はバンド部材の第二状態を示す図である。
【図４】本発明の第一実施形態において、第一状態のバンド部材が取り付けられた帽子の底面図である。
【図５】本発明の第一実施形態において、第二状態のバンド部材が取り付けられた帽子の底面図である。
【図６】本発明の第一実施形態に係る帽子の使用状態を示す図である。
【図７】本発明の第二実施形態に係る帽子の側面図である。
【図８】本発明の第二実施形態において、第一状態のバンド部材が取り付けられた帽子の底面図である。
【図９】本発明の第二実施形態において、第二状態のバンド部材が取り付けられた帽子の底面図である。
【図１０】本発明の第二実施形態に係る帽子の使用状態と空気の流れを説明するための図である。（ａ）は着用状態を示し、（ｂ）は空気の流れを模式的に現わしている。
【発明を実施するための形態】
【００１４】
本発明は、スベリ部に凹凸部を設け、吸気口を形成し、帽子の頂部付近に排気口（開口部）を設け、通気性の良い帽子（頭部被覆体）に係るものであり、特に、吸気口の形成の仕方が重要である。
【００１５】
代表的なキャップで考えると、帽子は頭に被るクラウン部やツバ部であるバイザーで太陽光を遮断し日影を作り、頭部や顔面の暑さを緩和するものである。しかしながら、近年気温上昇は激しく、以前より頭部の暑さと蒸れが多くなり、帽子を被ることによる快適性は損なわれる状況となっている。太陽からの輻射熱は、帽子の外皮に照射され熱に変化し、さらに外気温も加わって外皮温度を一層上昇させる。外皮の温度が上がれば、頭部には高温の熱が加わり熱さを感じる。さらに、布製の帽子では、外皮を輻射熱が透過し、頭部に直接照射され熱を発生し、汗をかく大きな要因となる。したがって、この輻射熱を阻止できれば、暑さは大幅に軽減することができる。
【００１６】
帽子の内部で生じる蒸れは、帽子の外皮と頭部との空間が密封空間であるため、熱が保温状態となり汗をかきやすい条件となることに起因する。布製の帽子では、繊維の間から通気することもあるが、外気が高温であり、帽子内の温度も高温の状態では、空気の出入りも少なく、湿気を排出するまでにはいかない。この蒸れを少なくするには、帽子内の高温多湿の空気の排出が大切である。このように、快適性の高い帽子を追求するには、暑さの大きな要因である輻射熱を阻止すること、帽子内の通気を如何にさせるかが重要である。
【００１７】
着用者が最も汗をかきやすいのは額であるが、帽子では汗が垂れることを防止することを目的として、スベリ部材で密着されている。しかし、汗をかきやすい額にスベリ部材が密着されていれば保温性は高まり、汗止めによって汗をかく要因にもなる。本発明の帽子では、本来、スベリ部材が設けられている位置に凹凸部を設け、額を帽子に完全に密着させず、部分的に接触させる構造とした。その結果、この部分の保温性は大幅に低下すると同時に、凹凸部からの空気の流入が容易になり、頭部の皮膚表面のほとんどは、常時空気と接触する状態になる。皮膚が空気と直接接触すると、気化熱で頭部の熱が放出されやすく、汗をかく要因が大幅に減少する。さらに、帽子の頂部付近には排気口（開口部）を設けることにより、帽子の内部に溜まった高温の空気や湿気を排出することができる。
以下、本発明に係る帽子を実施形態で、詳細に述べる。
【００１８】
［第一実施形態］
本実施形態に係る帽子を、図１から図６を参照し説明する。
【００１９】
本実施形態に係る帽子１は、図１に示すように、頭部Ｈを覆う帽子体２と、帽子体２の前方に設けられた鍔部３と、帽子体２の内側の下部内周縁に着脱可能に設けられるバンド部材４とを備えている。
【００２０】
［帽子体２］
帽子体２は布製であり、図２に示すように、帽子体２の後方の上部には、帽子体２の内側と外側とを貫通した排気口５が形成されている。この排気口５は、帽子体２の中心部より後方に設けることが好ましい。この後方の位置は、後述する吸気口７から流入した空気Ｆが、頭部Ｈの周囲に放物線を描くように流れ、空気抵抗が小さい位置と考えられる。排気口５の形状は、外観上目立たない形状が好ましいが、あくまでも空気抵抗を少なくするようにすることが好ましい。
【００２１】
また、帽子体２には、排気口５を上方から覆う庇片６が設けられている。この庇片６は、布製であり、排気口５を介して、太陽光が頭部Ｈに直接照射されることを防止するために設けられている。庇片６は、適宜角度を調整することができ、この庇片６によって、排気口５の開口を全開にしたり、排気口５全体を覆ったりすることができる。
【００２２】
帽子体２の外布２Ａの内側全体には、遮熱シート２Ｂが設けられている。この遮熱シート２Ｂは、アルミホイル等輻射熱に対して高反射率の素材と、不織布や樹脂シート等輻射熱に対して低反射率の素材とで構成されており、アルミホイル等輻射熱に対して高反射率の素材が、不織布や樹脂シート等輻射熱に対して低反射率の素材よりも外布２Ａ側に取り付けられている。つまり、アルミホイル等輻射熱に対して高反射率の素材が、不織布や樹脂シート等輻射熱に対して低反射率の素材よりも外向きとなるように取り付けられている。遮熱シート２Ｂは、鍔部３の内側にも取り付けることもできる。なお、アルミホイル等輻射熱に対して高反射率の素材には、例えば、アルミホイル等の輻射熱に対して、反射率が９８％から９０％のものを使用する。
また、帽子体２の内側に、内布を施工してもよく、内布を施工した場合でも、帽子１の性能には、ほとんど影響しない。
【００２３】
［バンド部材４］
バンド部材４は、図３（ａ）に示すように、一つの部材からなり、前方に、１つの前方凹部４Ｂ及びその両脇に１つずつ設けられた前方凸部４Ａを有し、両側の側方に、２つの側方凸部４Ｃ及び２つの側方凹部４Ｄをそれぞれ有している。なお、図３（ａ）に示すバンド部材４の状態を第一状態とよぶ。このバンド部材４は、取り付け部材（例えば、ホック、面ファスナ）によって、帽子体２に取り付けられる。このバンド部材４は、着脱可能であるため、汗をかいたら取り外し、洗濯ができる。このバンド部材４は、既存の帽子にも取り付けることが可能である。
【００２４】
バンド部材４には、プラスチック、例えば、ポリプロピレンを使用する。
側方凸部４Ｃや側方凹部４Ｄの形状は、角型、台形、或いはアール型の何れでも良い。額の部分は、体で一番汗をかく部位であるため、前方凹部４Ｂ（前方凸部４Ａ）の長さ６ｃｍから８ｃｍとすることが好ましく、額の周方向の長さの半分以上であることが好ましい。また、凹凸の高さは、高いほど吸気する面積が増えるので好ましいが、その分帽子１のサイズが大きくなるので、適宜用途にあったサイズにすることが好ましい。現実的には、約５ｍｍから１０ｍｍの高さとする。
【００２５】
バンド部材４は、折り返し（反転させ）、図３（ｂ）に示すような状態として、帽子体２に取り付けることもできる。なお、図３（ｂ）に示すバンド部材４の状態を第二状態とよぶ。第二状態のバンド部材４では、第一状態のバンド部材４の側方凸部４Ｃ及び側方凹部４Ｄが入れ替わる。この場合には、前方に、１つの前方凸部４Ａ及びその両脇に前方凹部４Ｂが形成され、左方及び右方の側方には、２つの側方凸部４Ｃ及び２つの側方凹部４Ｄがそれぞれ形成される。
【００２６】
第一状態のバンド部材４を帽子体２に取り付けると、図４に示すように、前方凸部４Ａの外側部分及び側方凸部４Ｃの外側部分が帽子体２の内周縁と接し、前方凹部４Ｂの外側部分及び側方凹部４Ｄの外側部分は、帽子体２の内縁と接しない。そのため、帽子体２と前方凹部４Ｂの外側部分との間、及び帽子体２と側方凹部４Ｄの外側部分との間には、吸気口７が形成される。具体的には、前方には、吸気口７が１つ形成され、側方の左右両側には、２つの吸気口７が形成される。
この状態の帽子１を着用すると、頭部Ｈの額と前方凹部４Ｂの内側部分は面接触する。
【００２７】
一方、第二状態のバンド部材４を帽子体２に取り付けると、図５に示すように、前方凸部４Ａの外側部分及び側方凸部４Ｃの外側部分が帽子体２の内周縁と接し、前方凹部４Ｂの外側部分及び側方凹部４Ｄの外側部分は、帽子体２の内縁と接しない。この場合も、帽子体２と前方凹部４Ｂの外側部分との間、及び帽子体２と側方凹部４Ｄ外側部分との間には、吸気口７が形成される。
この状態の帽子１を着用すると、頭部Ｈの額と前方凹部４Ｂの内側部分とは接触せず、頭部Ｈの額と前方凹部４Ｂの内側部分との間には、吸気口７が形成される。そして、頭部Ｈと前方凹部４Ｂの内側部分は面接触する。
【００２８】
次に、本実施形態に係る帽子１の作用効果について、説明する。
【００２９】
本実施形態に係る帽子１の重要な点は、三つある。一つ目は、帽子１に吸気口７と排気口５を設け、風の流れを作る点である。二つ目は、本来着用者の頭部Ｈと密着するスベリ部分に、バンド部材４を取り付けることで、吸気口７を形成し、額とバンド部材４の接触面積を小さくすることで、額からの気化熱を奪いやすくする点である。三つ目は、帽子体２の上方に排気口５を設け、吸気口７を介して帽子体２の内部に侵入した空気Ｆが頭部全体に触れながら上昇し、その後、排気口５から排出される点である。
【００３０】
帽子１を被ると、帽子体２の内側と頭部Ｈの頂部との間には僅かな隙間が生じる。この時、頭部Ｈと帽子体２の外皮２Ａとの温度差により、この隙間の空気は膨張し、帽子体２の上方の排気口５から排気される。そうすると、図６に示すように、帽子体２の下部の吸気口７から空気Ｆが帽子体２の内部に流入し、頭部Ｈの周囲の隙間を通って排気口５から排気される。
すなわち、着用者が帽子１を被ると、僅かではあるが帽子体２の内部では、対流が発生し、頭部Ｈの表面に空気Ｆが流れる。これは、吸気口７と排気口５の面積が大きく、吸排気の空気抵抗が少なくて済むこと、排気口５が上方（頂部）にあり、吸気口７と排気口５の高低差が煙突効果を促進し、空気Ｆの流れが良くなり、さらには外皮２Ａと頭部Ｈの空間が全周にとれ、空気Ｆの流れが促進され、帽子体２の内部に空気Ｆの流れる経路ができる。
【００３１】
着用者が歩いている場合、顔に正面から衝突する空気Ｆは、前方に形成される吸気口７を介して帽子体２の内部に流入し、その後、頭部Ｈの表面を流れて排気される。さらに、歩行速度が速いほど、頭部Ｈを流れる空気Ｆの速度も速くなり、頭部Ｈは満遍なく冷却される。そのため、帽子体２の内部に空気Ｆの流れを生じさせ、流れる空気Ｆが頭部Ｈから気化熱を奪い、汗をかきにくい状況にし、結果として、蒸れを感じなくさせる。もちろん、僅かな風が吹いた場合でも、同様な効果を得ることができる。さらに、バンド部材４と頭部Ｈとは部分的に接触し、側方に形成された吸気口７からも、空気Ｆが流入するため、帽子体２の全周から満遍なく空気Ｆを流入させることができる。
なお、本実施形態に係る帽子１を実際に被って歩行した場合、頭部全体の汗の量が大幅に少なることを確かめている。
【００３２】
バンド部材４を第１状態で取り付けたときの帽子１の効果について説明する。
バンド部材４を第１状態で取り付けた帽子１を被った場合、バンド部材４の前方凸部４Ａの内側部分と額とが面接触する。そうすると、帽子１は、頭部Ｈに安定して着用でき、頭部Ｈから抜け落ちづらくなる。この帽子１は、額と密着し、安定感があるため、例えば、動きが激しい運動の際に使用される。
【００３３】
次に、バンド部材４を第２状態で取り付けたときの帽子１の効果について説明する。
バンド部材４を第２状態で取り付けた帽子１を被った場合、バンド部材４の前方凸部４Ａの外側部分は、帽子体２と面接触し、前方凸部４Ａの内側部分と額との間には吸気口７（隙間）が形成される。そのため、空気Ｆが着用者の額に接しながら、帽子体２の内部に流入するため、快適性が向上する。この帽子１は、第１状態のバンド部材４が取り付けられた帽子よりも、安定感はないため、例えば、軽い運動をする場合や通常の屋外に外出する場合の帽子として使用できる。
【００３４】
本実施形態に係る帽子１は、帽子１の外皮２Ａの内側に、アルミホイル等輻射熱に対して高反射率の素材と不織布や樹脂シート等輻射熱に対して低反射率の素材で構成された遮熱シート２Ｂを、アルミホイル等輻射熱に対して高反射率の素材が外向きになるように取り付けられている。
帽子１に太陽光が照射された場合、輻射熱は帽子体２に吸収され熱に変化し、二次輻射熱が頭部Ｈに照射される。この熱を阻止するために、帽体体２の内部に隙間を設け、かつアルミホイル等輻射熱に対して高反射率の素材と不織布や樹脂シート等輻射熱に対して低反射率の素材で構成された遮熱シート２Ｂを設け、アルミホイル等輻射熱に対して高反射率の素材表面で反射させ、再び帽子体２の外皮２Ａに戻す。
アルミホイル等輻射熱に対して高反射率の素材が外向きになるように取り付けることで、帽子１の外部からの輻射熱の侵入を防止することができ、頭部Ｈは、日陰の下に風が流れているような、非常に涼しい環境を作ることができる。
本実施形態の帽子１は、競歩やゴルフ等の屋外での活動時の熱中症対策に効果的である。
【００３５】
［第二実施形態］
本実施形態に係る帽子１０について、図７から図１０を参照し、説明する。
【００３６】
本実施形態に係る帽子１０は、図７に示すように、ハット型であり、頭部Ｈを覆う帽子体２と、帽子体２の全周囲にかけて設けられた鍔部３と、帽子体２の内側の下部内周縁に着脱可能に設けられるバンド部材４とを備えている。
帽子体２は、樹脂層２Ｃと、樹脂層２Ｃの上方（外側）に設けられた遮熱シート２Ｂと、遮熱シート２Ｂの上方（外側）に設けられた布製の外皮２Ａと、樹脂層２Ｃの下方（内側）に設けられたメッシュ部材２Ｄとを備えている。外皮２Ａと遮熱シート２Ｂとの間、遮熱シート２Ｂと樹脂層２Ｃとの間、樹脂層２Ｃとメッシュ部材２Ｄとの間には、それぞれ隙間が設けられている（図１０（ｂ））。
【００３７】
樹脂層２Ｃには、例えばポリウレタンを使用することができる。この樹脂層２Ｃには、表裏を貫通する楕円状の排気口５Ａが形成されている。具体的には、頂部に６つ、側部に６つ形成されている。
遮熱シート２Ｂは、アルミホイル等輻射熱に対して高反射率の素材と、不織布や樹脂シート等輻射熱に対して低反射率の素材とで構成されており、アルミホイル等輻射熱に対して高反射率の素材が外向きになるように設けられている。この遮熱シート２Ｂは、樹脂層２Ｃとの間に隙間が形成されるように設けられている。この遮熱シート２Ｂには、表裏を貫通する楕円状の排気口５Ｂが形成されている。この排出口５Ｂは、上述した排出口５Ａと対応する位置に形成されている。なお、遮熱シート２Ｂは、鍔部３の内側にも設けることができる。
また、布製の外皮２Ａには、表裏を貫通する貫通孔が多数形成され、これらの貫通孔により、模様が形成されている。
【００３８】
第一実施形態と同様、第一状態のバンド部材４を帽子体２に取り付けると、図８に示すように、前方凸部４Ａの外側部分及び側方凸部４Ｃの外側部分が帽子体２の内周縁と接し、帽子体２と前方凹部４Ｂの外側部分との間、及び帽子体２と側方凹部４Ｄの外側部分との間には、吸気口７が形成される。この状態の帽子１を着用すると、着用者Ｈの額と前方凹部４Ｂの内側部分は面接触する。
【００３９】
一方、第二状態のバンド部材４を帽子体２に取り付けると、図９に示すように、前方凸部４Ａの外側部分及び側方凸部４Ｃの外側部分が帽子体２の内周縁と接し、帽子体２と前方凹部４Ｂの外側部分との間、及び帽子体２と側方凹部４Ｄの外側部分との間には、吸気口７が形成される。この状態の帽子１を着用すると、頭部Ｈの額と前方凹部４Ｂの内側部分は接触せず、額と前方凹部４Ｂの内側部分との間には、吸気口７が形成される。
【００４０】
本実施形態に係る帽子１０は、図１０（ａ）に示すように、空気Ｆは、前方及び側方に形成された吸気口７から帽子体２の内部に流入し、その後、頭部Ｈの表面を流れ、頂部や側部に形成された排気口５から排気される。具体的には、図１０（ｂ）に示すように、帽子体２の内部に侵入した空気Ｆは、樹脂層２Ｃに形成された排気口５Ａ、遮熱シート２Ｂに形成された排気口５Ｂを通り、布製の外皮２Ａに模様として形成された貫通孔を介し、外部に排出される。
【００４１】
本実施形態に係る帽子１０は、第一実施形態に係る帽子１と同様、空気Ｆが頭部Ｈから気化熱を奪い、汗をかきにくい状況にし、結果として、蒸れを感じなくさせる。さらに、バンド部材４と頭部Ｈとは部分的に接触し、側方に形成された吸気口７からも、空気Ｆが流入するため、帽子体２の全周から満遍なく空気Ｆを流入させ、頭部全体を冷却することができる。
【００４２】
また、遮熱シート２Ｂを、アルミホイル等輻射熱に対して高反射率の素材が外向きになるように取り付けることで、帽子１の外部からの輻射熱の侵入を防止することができ、帽子体２の内部を快適な環境とすることができる。
【００４３】
以上、本実施形態について説明したが、これ以外にも、本発明の主旨を逸脱しない限り、上記実施の形態で挙げた構成を取捨選択したり、他の構成に適宜変更することが可能である。
本実施形態では、頭部被覆体として、帽子について説明したが、ヘルメットのヘッドバンドにバンド部材４を設けることもできる。
【符号の説明】
【００４４】
１，１０      帽子
２      帽子体
２Ａ    外皮
２Ｂ    遮熱シート
２Ｃ    樹脂層
２Ｄ    メッシュ部材
３      鍔部
４      バンド部材
４Ａ    前方凸部
４Ｂ    前方凹部
４Ｃ    側方凸部
４Ｄ    側方凹部
５，５Ａ，５Ｂ  排気口（貫通孔）
６      庇片
７      吸気口
Ｆ      空気（空気の流れ）
Ｈ      頭部
【要約】
【課題】帽子体の内部の温度上昇を防ぐとともに、着用者に暑さを感じさせない帽子を提供する。
【解決手段】本発明に係る帽子１は、帽子体２の下部内周縁に取付けられたバンド部４材と、帽子体２の上部に、帽子体２の内側と外側とを貫通して形成された排気口５とを備え、バンド部材４は、帽子体２の前方に対応する位置に形成された前方凸部４Ａ及び前方凹部４Ｂと、帽子体２の側方に対応する位置に形成された側方凸部４Ｃ及び側方凹部４Ｄとを有し、前方凸部４Ａの外側部分及び側方凸部４Ｃの外側部分が帽子体２に取り付けられることで、前方凹部４Ｂの外側部分と帽子体２との間、又は前方凸部４Ａの内側部分と着用者の額との間に、吸気口７が形成され、前方凹部４Ｂの内側部分と着用者の頭部が面接触する構成をとる。
【選択図】図４【図１】
0006727679.tif 000002
【図２】
0006727679.tif 000003
【図３】
0006727679.tif 000004
【図４】
0006727679.tif 000005
【図５】
0006727679.tif 000006
【図６】
0006727679.tif 000007
【図７】
0006727679.tif 000008
【図８】
0006727679.tif 000009
【図９】
0006727679.tif 000010
【図１０】
0006727679.tif 000011